(57)【要約】【課題】  従来のアイロンカバーは、毛髪のタンパク質や油、汚れ等がアイロン部に焼き付き汚れ・こびり付きを防止でき、かつアイロン部への焼き付きや、損傷することなく、かつアイロン操作がスムーズで、種々な作業が確実に、スムーズに行えること、並びにアイロンの傷み軽減化と耐久性の向上が図れる経済性を確保できるが、今だ改良の余地がある。【解決手段】  本発明は、切欠部付第一フイルム材の一方側領域に第二フイルム材を添着・熱圧着し、第二フイルム材の自由側に設けた接着部に、第二フイルム材を接着し、第一フイルムの一方側領域と第二フイルムで第一袋体を形成し、第一袋体の第二フイルム材の上に、第一フイルム材の他方側領域を重畳し、第一袋体の一方側端部の重畳箇所を熱圧着して第二袋体の原型とし、熱圧着重畳箇所をカットし、カバーを形成し、カバーに底部と開口を設けたアイロンカバーの製造方法。【選択図】      図１６
2014150896.tif 000002
【特許請求の範囲】
【請求項１】
第一フイルム材の一方側領域に第二フイルム材を添着・熱圧着し、
この第一フイルム材の自由側であって、その裏面に接着部を設け、
前記熱圧着した第一フイルム材とこの第二フイルム材に、一方アイロン部を乗せるとともに、この接着部に前記第二フイルム材を接着し、
この第一フイルムの一方側領域とこの第二フイルムで第一袋体を形成し、
この第一袋体を形成する第二フイルム材の上に、前記第一フイルム材の他方側領域を重畳するとともに、この第一袋体の一方側端部の重畳箇所を熱圧着し、第二袋体の原型を構成し、
前記第二袋体の原型の熱圧着重畳箇所をカットし、カバーを形成するとともに、前記熱圧着重畳箇所の一部を残し、かつこの残した部位を、このカバーの底部とし、また、このカバーの他方側は開口とし、
た構成の一方アイロン部、及び／又は、他方アイロン部をカバーするアイロンカバーの製造方法。
【請求項２】
略方形状の第一フイルム材の略半分を占める一方側領域に方形状の第二フイルム材を添着し、
この第一フイルム材の一方側領域に、添着した第二フイルム材を熱圧着し、
また、前記第二フイルム材の略半分を占める他方側領域の自由側であって、その裏面に接着部を設け、
前記熱圧着した第一フイルム材とこの第二フイルム材に、一方アイロン部を乗せるとともに、この接着部に前記第二フイルム材の基端側を接着し、
この第一フイルムの一方側領域とこの第二フイルムで第一袋体を形成し、
この第一袋体を形成する第二フイルム材の上に、前記第一フイルム材の他方側領域を重畳するとともに、この第一袋体の一方側端部の重畳箇所を、前記一方アイロン部と前記他方アイロン部で熱圧着し、前記一方アイロン部と前記他方アイロン部より離脱し、第二袋体の原型を構成し、
前記第二袋体の原型の熱圧着重畳箇所をカットし、カバーを形成するとともに、前記熱圧着重畳箇所の一部を残し、かつこの残した部位を、このカバーの底部とし、また、このカバーの他方側は開口とし、
た構成の一方アイロン部、及び／又は、他方アイロン部をカバーするアイロンカバーの製造方法。
【請求項３】
請求項１、又は請求項２に記載のアイロンカバーの製造方法において、
前記略方形状の第一フイルム材の長手方向の一方側端部に切欠部を備える構成とした一方アイロン部、及び／又は、他方アイロン部をカバーするアイロンカバーの製造方法。
【請求項４】
請求項１、又は請求項２に記載のアイロンカバーの製造方法において、
前記第一フイルム材と、前記第二フイルム材は、パウチフィルムとする構成とした一方アイロン部、及び／又は、他方アイロン部をカバーするアイロンカバーの製造方法。
【請求項５】
請求項１、又は請求項２に記載のアイロンカバーの製造方法において、
前記接着部が、粘着テープとする構成とした一方アイロン部、及び／又は、他方アイロン部をカバーするアイロンカバーの製造方法。
【発明の詳細な説明】
【技術分野】
【０００１】
本発明は、一方アイロン部、及び／又は、他方アイロン部をカバーするアイロンカバーの製造方法に関する。
【背景技術】
【０００２】
本発明は、実用新案登録第３１１７８８６号公報（文献（１）とする）とか、ＷＯ２０１０／１１３６５７号公報（文献（２）とする）に記載の「毛髪をカールや、ウェーブにしたり、癖毛や、縮れ毛、ダメージ毛や、ハイダメージ毛、カール毛等の癖毛を、真直にするヘアーアイロンのサック」を、簡単な手法で製造し、かつ毛髪のタンパク質や油、汚れ等がアイロン部に焼き付き汚れ・こびり付きを防止し、かつ顧客に応じて取換え自由とし、清潔感と安心感を与え、また、アイロン部への焼き付きや、損傷することなく、かつアイロン操作がスムーズで、種々な作業が確実に、スムーズに行えること、並びにアイロンの傷み軽減化と耐久性の向上が図れる経済性を確保すること、等を意図する。
【０００３】
そこで、この意図を達成すると考えられる。前記考案と発明を、先行技術として説明する。
【０００４】
文献（１）は、フッ素樹脂、フッ素エラストマーを、ガラス繊維、又は芳香族ポリアミド繊維、或いはそれらの複合繊維で構成された織布にコーティング加工したクロスをエンドレスに環状にした構造である。従って、構造が複雑であり、コストが高くなること、又は使い捨ての感覚で、自由に使用するには問題があると考えられる。また、アイロン部への焼き付きや、損傷が生じた場合には、その取扱と補填に対して、十分な対策ができないと考えられる。
【０００５】
また、文献（２）は、毛髪処理剤を内部に含浸・保持可能に構造の保持部材であって、毛髪の形状を処理するアイロン部に着脱可能に形成され、かつ毛髪処理剤が流出可能に形成された構造である。従って、利便性と、処理剤の取扱の容易化等に関しては、有効である。しかし、前述した文献（１）と同じような問題を抱えていると考えられる。
【０００６】
尚、市販品では、前述した文献（２）と同じ素材でなるが、毛髪処理剤を内部に含浸・保持、又はこれらを保持しない構造等のカバー（保護シート等）がある。しかしながら、利便性、独自の発想性と、自由な製作性において、改良の余地がある。
【０００７】
【特許文献１】実用新案登録第３１１７８８６号公報
【特許文献２】ＷＯ２０１０／１１３６５７号公報
【発明の概要】
【発明が解決しようとする課題】
【０００８】
上記に鑑み、本発明は、市販のパウチフィルムを、素材として利用することで、誰でも簡単な手法で製造し、かつ毛髪のタンパク質や油、汚れ等がアイロン部に焼き付き汚れ・こびり付きを防止し、かつ顧客に応じて取換え自由とし、清潔感と安心感を与え、また、アイロン部への焼き付きや、損傷することなく、かつアイロン操作がスムーズで、種々な作業が確実に、スムーズに行えること、並びにアイロンの傷み軽減化と耐久性の向上が図れる経済性を確保すること、さらには、使い捨てが可能であって、在庫を持たなくても、パウチフィルムがあれば、その場でアイロンカバーを製造できること、等を意図する。また、独自の発想性と、自由な製作性において、アイロンカバーを製造できる利便性がある。
【課題を解決するための手段】
【０００９】
以上の意図を達成するために、下記の請求項１−５を提供する。
【００１０】
請求項１は、切欠部を備えた第一フイルム材の一方側領域に第二フイルム材を添着・熱圧着し、
この第一フイルム材の自由側であって、その裏面に接着部を設け、
前記熱圧着した第一フイルム材とこの第二フイルム材に、一方アイロン部を乗せるとともに、この接着部に前記第二フイルム材を接着し、
この第一フイルムの一方側領域とこの第二フイルムで第一袋体を形成し、
この第一袋体を形成する第二フイルム材の上に、前記第一フイルム材の他方側領域を重畳するとともに、この第一袋体の一方側端部の重畳箇所を熱圧着し、第二袋体の原型を構成し、
前記第二袋体の原型の熱圧着重畳箇所をカットし、カバーを形成するとともに、前記熱圧着重畳箇所の一部を残し、かつこの残した部位を、このカバーの底部とし、また、この第カバーの他方側は開口とし、
た構成の一方アイロン部、及び／又は、他方アイロン部をカバーするアイロンカバーの製造方法である。
【００１１】
請求項２は、長手方向の一方側端部に切欠部を備えた略方形状の第一フイルム材の略半分を占める一方側領域に方形状の第二フイルム材を添着し、
この第一フイルム材の一方側領域に、添着した第二フイルム材を熱圧着し、
また、前記第一フイルム材の略半分を占める他方側領域の自由側であって、その裏面に接着部を設け、
前記熱圧着した第一フイルム材とこの第二フイルム材に、一方アイロン部を乗せるとともに、この接着部に前記第二フイルム材の基端側を接着し、
この第一フイルムの一方側領域と第二フイルムで第一袋体を形成し、
この第一袋体を形成する第二フイルム材の上に、前記第一フイルム材の他方側領域を重畳するとともに、この第一袋体の一方側端部の重畳箇所を、前記一方アイロン部と前記他方アイロン部で熱圧着し、前記一方アイロン部と前記他方アイロン部より離脱し、第二袋体の原型を構成し、
前記第二袋体の原型の熱圧着重畳箇所をカットし、カバーを形成するとともに、前記熱圧着重畳箇所の一部を残し、かつこの残した部位を、このカバーの底部とし、また、このカバーの他方側は開口とし、
た構成の一方アイロン部、及び／又は、他方アイロン部をカバーするアイロンカバーの製造方法である。
【００１２】
請求項３は、請求項１、又は請求項２に記載のアイロンカバーの製造方法において、
前記略方形状の第一フイルム材の長手方向の一方側端部に切欠部を備える構成とした一方アイロン部、及び／又は、他方アイロン部をカバーするアイロンカバーの製造方法である。
【００１３】
請求項４は、請求項１、又は請求項２に記載のアイロンカバーの製造方法において、
前記第一フイルム材と、前記第二フイルム材は、パウチフィルムとする構成とした一方アイロン部、及び／又は、他方アイロン部をカバーするアイロンカバーの製造方法である。
【００１４】
請求項５は、請求項１、又は請求項２に記載のアイロンカバーの製造方法において、
前記接着部が、粘着テープとする構成とした一方アイロン部、及び／又は、他方アイロン部をカバーするアイロンカバーの製造方法である。
【発明の効果】
【００１５】
請求項１の発明は、第一フイルム材の一方側領域に第二フイルム材を添着・熱圧着し、
この第一フイルム材の自由側であって、裏面に接着部を設け、
熱圧着した第一フイルム材と第二フイルム材に、一方アイロン部を乗せるとともに、接着部に第二フイルム材を接着し、
第一フイルムの一方側領域と第二フイルムで第一袋体を形成し、
第一袋体を形成する第二フイルム材の上に、第一フイルム材の他方側領域を重畳するとともに、第一袋体の一方側端部の重畳箇所を熱圧着し、第二袋体の原型を構成し、
第二袋体の原型の熱圧着重畳箇所をカットし、カバーを形成するとともに、熱圧着重畳箇所の一部を残し、かつ残した部位を、カバーの底部とし、また、カバーの他方側は開口とし、
た構成の一方アイロン部、及び／又は、他方アイロン部をカバーするアイロンカバーの製造方法である。
【００１６】
請求項２の発明は、長手方向の一方側端部に切欠部を備えた略方形状の第一フイルム材の略半分を占める一方側領域に方形状の第二フイルム材を添着し、
第一フイルム材の一方側領域に、添着した第二フイルム材を熱圧着し、
また、第二フイルム材の略半分を占める他方側領域の自由側であって、裏面に接着部を設け、
熱圧着した第一フイルム材と第二フイルム材に、一方アイロン部を乗せるとともに、接着部に第二フイルム材の基端側を接着し、
第一フイルムの一方側領域と第二フイルムで第一袋体を形成し、
第一袋体を形成する第二フイルム材の上に、第一フイルム材の他方側領域を重畳するとともに、第一袋体の一方側端部の重畳箇所を、一方アイロン部と他方アイロン部で熱圧着し、一方アイロン部と前記他方アイロン部より離脱し、第二袋体の原型を構成し、
第二袋体の原型の熱圧着重畳箇所をカットし、カバーを形成するとともに、熱圧着重畳箇所の一部を残し、かつ残した部位を、カバーの底部とし、また、カバーの他方側は開口とし、
た構成の一方アイロン部、及び／又は、他方アイロン部をカバーするアイロンカバーの製造方法である。
【００１７】
従って、請求項１、２は、市販のパウチフィルムを、第一・第二フイルム材（素材）として利用することで、下記「イ」〜「ニ」の効果を有する。
「イ」  誰でも簡単な手法で製造し、かつ毛髪のタンパク質や油、汚れ等がアイロン部に焼き付き汚れ・こびり付きを防止し、かつ顧客に応じて取換え自由とし、清潔感と安心感を与え得る。
「ロ」  アイロン部への焼き付きや、損傷することなく、かつアイロン操作がスムーズで、種々な作業が確実に、スムーズに行えること、並びにアイロンの傷み軽減化と耐久性の向上が図れる経済性を確保すること、等である。
「ハ」  使い捨てが可能であって、在庫を持たなくても、パウチフィルムがあれば、その場でアイロンカバーを製造できること、また、独自の発想性と、自由な製作性において、アイロンカバーを製造できる利便性があること、さらに、接着部に第二フイルム材の基端側を接着することで、アイロン部の幅の大小、又は長さの長短に対応できこと、等である。
「ニ」  防水機能が付与され、薬剤が付きにくくなこと、また、長時間の使用と、後処理の軽減化に有効となること、等である。
【００１８】
請求項３の発明は、請求項１、又は請求項２に記載のアイロンカバーの製造方法において、
略方形状の第一フイルム材の長手方向の一方側端部に切欠部を備える構成とした一方アイロン部、及び／又は、他方アイロン部をカバーするアイロンカバーの製造方法である。
【００１９】
請求項４は、前記「イ」〜「ニ」の他に「ホ」の効果を有する。
「ホ」  第一フイルム材の無駄を無くし、かつコストの低廉化等に寄与できる。
【００２０】
請求項４の発明は、請求項１、又は請求項２に記載のアイロンカバーの製造方法において、
第一フイルム材と、第二フイルム材は、パウチフィルムとする構成とした一方アイロン部、及び／又は、他方アイロン部をカバーするアイロンカバーの製造方法である。
【００２１】
請求項４は、前記「イ」〜「ニ」と、同じ効果が期待できる。
【００２２】
請求項５の発明は、請求項１、又は請求項２に記載のアイロンカバーの製造方法において、
接着部が、粘着テープとする構成とした一方アイロン部、及び／又は、他方アイロン部をカバーするアイロンカバーの製造方法である。
【００２３】
請求項５は、前記「イ」〜「ニ」の他に「ヘ」の効果を有する。
「ヘ」  市販の粘着テープを活用でき、かつコストの低廉化等に寄与できる。
【図面の簡単な説明】
【００２４】
【図１】第一フイルム材の展開図
【図２】第一フイルム材の一方側領域の表面に第二フイルム材を添着した状態の展開図
【図３】第一フイルム材の一方側領域の表面に添着した第二フイルム材を、第一フイルムに熱圧着する状態の展開図
【図４】図３に示した熱圧着した後、反転し、第一フイルムの一方側領域の裏面に粘着テープを接着する状態の展開図
【図５】図４に示した粘着テープに沿って一方アイロン部に設けるとともに、第二フイルム材と、第一フイルム材に、第一・第二アイロン部を添設する状態の展開図
【図６】図５に示した一方アンロン部を添着した後に、粘着テープの剥離紙を剥がす状態の展開図
【図７】図６を反転し、かつ剥離紙を剥がした後、この粘着テープを上にし、第二フイルム材の自由端側を、他方アイロン部に添着する状態を示した展開図
【図８】図７に示した粘着テープに、他方アイロン部を利用して第二フイルム材の基端側を添着し、第一袋体が形成された状態の展開図
【図９】図８では図示しない一方アイロン部を開放し、第一フイルム材の他方側領域を、第一袋体の外側に添設する前段階の状態の斜視図
【図１０】図９に示した状態より、第一フイルム材の他方側領域を、第一袋体の外側に添設した状態（取外す方向を矢視した状態）の斜視図
【図１１】第一フイルム材の他方側領域を、第一袋体の外側に熱圧着し、アイロンより外した、第二袋体の第一原型を示した正面図
【図１２】第二袋体の第一原型の重畳箇所を、アイロンで熱圧着する状態を示した正面図
【図１３】図１２に示した重畳箇所を、アイロンで熱圧着し、第二袋体の第二原型が完成した状態を示した正面図
【図１４】第二袋体の第二原型の熱圧着重畳箇所をカットする状態を示した正面図
【図１５】カバーが完成し、かつ底部が表示された状態の正面図
【図１６】製造したカバーを第一・第二アイロン部に被嵌し、施術する状態の縮尺模式図
【発明を実施するための形態】
【００２５】
以下、本発明の好ましい製造方法を順次説明する。
【００２６】
図１において、購入した、透明でなる（一例である。以下で説明する素材、形態等は、説明しないが、それぞれ一例である）長方形状のパウチフィルムより第一フイルム材の原型（図示しない）をカットし、その一方側端部１ａに切欠部１００を形成して第一フイルム材１を形成する。この第一フイルム材１は、略方形状であって、その図面上で左右方向が長手方向１−１で、上下方向が短手方向１−２とする。また、この長手方向１−１の、略右側１／２を一方側領域部１０１とし、この長手方向１−１の、略左側１／２を他方領域部１０２とした構造である。
【００２７】
図２は、この一方領域部１−１の表面Ａに、同じ素材の正方形状の第二フイルム材２を添着（面上に設けること）する。
【００２８】
図３は、添着した第一フイルム材１の一方側領域１０１の表面Ａに、第二フイルム材２を添着する。この第一フイルム１の表面Ａの裏面Ｂと、第二フイルム材２を、一方・他方アイロン部Ｃ１、Ｃ２で挾持し、その熱を利用して、第一フイルム１の表面Ａに、第二フイルム材２を、熱圧着Ｄ１する。
【００２９】
図４は、図３に示した熱圧着Ｄ１し、第一フイルム１と第二フイルム材２を、図３に示した矢視の如く、反転し、この第一フイルム１の裏面Ｂを表にし、かつこの裏面Ｂで、しかも自由端側１ｃの短手方向１−２（第一フイルム１の短手方向１−２）に粘着テープ３（接着部の一例）を、接着する。尚、図中１ｄは一方側領域１ａの基端側で、かつ他方側領域１ｂとの接続部でもある。
【００３０】
図５は、図４に示した粘着テープ３に沿って一方アイロン部Ｃ１に設けるとともに、第二フイルム材２と、第一フイルム材１に、第一・第二アイロン部Ｃ１、Ｃ２を添設する。
【００３１】
そして、図６は、図５に示した一方・第二アンロン部Ｃ１、Ｃ２を添着した後に、粘着テープ３の剥離紙３００を剥した後に、この図に示した矢視の如く、反転し、この第一フイルム１の裏面Ｂに戻す。また、一方アイロン部Ｃ１の動きを示す記号あり（押下げる方向を示す。以下同じ）。
【００３２】
図７は、図６に示した剥離紙３００を剥がした後、この粘着テープ３を上にし、第二フイルム材２の自由端側２ａを、他方アイロン部Ｃ２に添着する。
【００３３】
図８は、図７に示した粘着テープ３に、他方アイロン部Ｃ１の回転を利用して、この地方アイロン部Ｃ２に第二フイルム材２の基端側２ｂを添着し、第一袋体Ｘが形成される。
【００３４】
その後、図９は、図８では図示しない、一方アイロン部Ｃ１を開放し、第一フイルム材１の他方側領域１０２を、第一袋体Ｘの本体部Ｘ１外側に添設する前段階を示している。
即ち、一方アイロン部Ｃ１を、この第一袋体Ｘの本体部Ｘ１外側に向かって下げようとする状態である。また、図９は、請求項１、２で記述した、粘着テープ３に第二フイルム材２の基端側２ｂを接着することになる。尚、第二フイルム材２に代替し、第二フイルム材２の肉厚を、第一フイルム材１の一方側領域１０１を肉厚構造にすることも可能である。
【００３５】
図１０は、図９に示した状態より、第一フイルム材１の他方側領域１０２を、第一袋体Ｘの本体部Ｘ１外側より離間し、かつ形成された第一袋体Ｘを、取外すことを想定し、その取出す方向を、矢視で示している。
【００３６】
図１１は、図１０に続いて、図示しないが、第一フイルム材１の他方側領域１０２を、第一袋体Ｘの外側に熱圧着し、アイロン（一方・他方アイロン部Ｃ１、Ｃ２）より外すことで、第二袋体の第一原型ＹＹが形成されたことを示している。
【００３７】
図１２は、第二袋体の第一原型ＹＹの重畳箇所Ｙ１（第一フイルム材１の一方側端部１ａの重なり部「切欠部１００以外の一方側端部１ａを云う」）を、アイロンで熱圧着する。このような重なり部とすることで、熱圧着を確実にすること、又は材料の節約化、カバー寸法を一定にできること、等の特徴がある。
【００３８】
図１３は、図１２に示した第二袋体の第一原型ＹＹの重畳箇所Ｙ１を、アイロンで熱圧着し、第二袋体の第二原型ＹＹＹが完成した状態を示している。
【００３９】
図１４は、図１３で製作した、第二袋体の第二原型ＹＹＹの熱圧着重畳箇所Ｙ１−１をカットする状態を示している。
【００４０】
図１５は、カバーＺが完成し、その一方側Ｚａに底部Ｚ１が表示された状態を示している。また、他方側Ｚｂは、後述するように、アイロンの一方・他方アイロン部Ｃ１、Ｃ２を挿入用の開口Ｚ２が形成されている。
【００４１】
また、図１６は、製造したカバーＺを、一方・他方アイロン部Ｃ１、Ｃ２に被嵌し、人Ｈに施術する状態であって、この使用により、下記の効果がある。即ち、毛髪Ｈ１のタンパク質や油、汚れ等が、一方・他方アイロン部Ｃ１、Ｃ２に焼き付き汚れ・こびり付きを防止し、かつ人Ｈに応じて取換え自由とし、清潔感と安心感を与え、また、一方・他方アイロン部Ｃ１、Ｃ２への焼き付きや、損傷することなく、かつアイロン操作がスムーズで、種々な作業が確実に、スムーズに行えること、並びに一方・他方アイロン部Ｃ１、Ｃ２の傷み軽減化と耐久性の向上が図れる経済性を確保できること、等の特徴がある。
【００４２】
前述した各構造は、本発明の好ましい一例の説明である。従って、本発明は上述した各実施例に限定されるものではなく、発明の趣旨の範囲において構成の一部を変更する構造とか、同じ特徴と効果を達成できる構造、等は、本発明の範疇である。
【符号の説明】
【００４３】
１          第一フイルム材
１ａ        一方側端部
１ｂ        他方側端部
１ｃ        自由端部
１ｄ        基端側
１００      切欠部
１０１      一方側領域
１０２      他方側領域
１−１      長手方向
１−２      短手方向
２          第二フイルム材
２ａ        自由端側
２ｂ        基端側
３          接着テープ
３００      剥離紙
Ａ          表面
Ｂ          裏面
Ｃ１        一方アイロン部
Ｃ２        他方アイロン部
Ｄ          熱圧着
Ｘ          第一袋体
Ｘ１        本体部
Ｙ          第二袋体
ＹＹ        第二袋体の第一原型
ＹＹＹ      第二袋体の第二原型
Ｙ１        重畳箇所
Ｙ２        熱圧着重畳箇所
Ｚ          カバー
Ｚ１        底部
Ｚ２        開口
Ｚａ        他方側
Ｚｂ        一方側
Ｈ          人
Ｈ１        毛髪
【図１】
2014150896.tif 000003
【図２】
2014150896.tif 000004
【図３】
2014150896.tif 000005
【図４】
2014150896.tif 000006
【図５】
2014150896.tif 000007
【図６】
2014150896.tif 000008
【図７】
2014150896.tif 000009
【図８】
2014150896.tif 000010
【図９】
2014150896.tif 000011
【図１０】
2014150896.tif 000012
【図１１】
2014150896.tif 000013
【図１２】
2014150896.tif 000014
【図１３】
2014150896.tif 000015
【図１４】
2014150896.tif 000016
【図１５】
2014150896.tif 000017
【図１６】
2014150896.tif 000018